(57)【特許請求の範囲】
【請求項１】
ある文書を構成する複数の文に重要度を付与する処理を文書重要文ランキング装置が実行する文書重要文ランキング方法であって、
前記文書重要文ランキング装置の文書入力部が、文書を入力するステップと、
前記文書重要文ランキング装置の形態素解析部が、入力された前記文書を形態素解析して、各単語毎に表層表記、標準表記、及び品詞の属性を付与された複数の文に分割するステップと、
前記文書重要文ランキング装置の重要度付与部が、３段階以上に分類された重要度値のうちのいずれかの重要度値が接続情報、表層表記、標準表記、及び品詞の組毎に記述されている重要度付与テーブルを参照することにより、前記複数の文におけるそれぞれの文について、文中に含まれる各表現の重要度値を求め、さらに、文中に含まれる表現の重要度値のうち最も大きい値を文の重要度値として当該文に付与するステップと
を有することを特徴とする文書重要文ランキング方法。
【請求項２】
前記文書重要文ランキング装置の重要度調整部が、接続情報、表層表記、標準表記、及び品詞の組毎に重要度調整値が記述されている重要度調整テーブルを参照することにより、前記複数の文におけるそれぞれの文について、文中に前記重要度調整テーブルに記述された表現が含まれる場合に当該表現に対応する重要度調整値を求め、前記重要度付与部で求めた文の重要度値に前記重要度調整値を加算したものを当該文の重要度値として当該文に付与するステップ
を更に有することを特徴とする請求項１に記載の文書重要文ランキング方法。
【請求項３】
前記文書重要文ランキング装置における要約手段が、前記文書中の各文に付与された重要度値を参照して、重要度値が大きいものから順に予め定められた数の文を、前記文書の要約文として、前記文書から抽出するステップを含む請求項１に記載の文書重要文ランキング方法。
【請求項４】
ある文書を構成する複数の文に重要度を付与する文書重要文ランキング装置であって、
文書が入力される文書入力部と、
入力された前記文書を形態素解析して、各単語毎に表層表記、標準表記、及び品詞の属性を付与された複数の文に分割する形態素解析部と、
３段階以上に分類された重要度値のうちのいずれかの重要度値が、接続情報、表層表記、標準表記、及び品詞の組毎に記述されている重要度付与テーブルと、
前記複数の文におけるそれぞれの文について、前記重要度付与テーブルを参照して、文中に含まれる各表現の重要度値を求め、さらに、文中に含まれる表現の重要度値のうち最も大きい値を文の重要度値として当該文に付与する重要度付与部
とを有することを特徴とする文書重要文ランキング装置。
【請求項５】
接続情報、表層表記、標準表記、及び品詞の組毎に重要度調整値が記述されている重要度調整テーブルと、
前記複数の文におけるそれぞれの文について、前記重要度調整テーブルを参照して、文中に前記重要度調整テーブルに記述された表現が含まれる場合は当該表現に対応する重要度調整値を求め、前記重要度付与部で求めた文の重要度値に前記重要度調整値を加算したものを当該文の重要度値として当該文に付与する重要度調整部
とを更に有することを特徴とする請求項４に記載の文書重要文ランキング装置。
【請求項６】
前記文書中の各文に付与された重要度値を参照して、重要度値が大きいものから順に予め定められた数の文を、前記文書の要約文として、前記文書から抽出する手段を含む請求項４に記載の文書重要文ランキング装置。
【請求項７】
コンピュータを、ある文書を構成する複数の文に重要度を付与する文書重要文ランキング装置として機能させるプログラムを記録したコンピュータ読み取り可能な記録媒体であって、コンピュータを、
文書を入力する文書入力手段、
入力された前記文書を形態素解析して、各単語毎に表層表記、標準表記、及び品詞の属性を付与された複数の文に分割する形態素解析手段、
３段階以上に分類された重要度値のうちのいずれかの重要度値が接続情報、表層表記、標準表記、及び品詞の組毎に記述されている重要度付与テーブルを参照することにより、前記複数の文におけるそれぞれの文について、文中に含まれる各表現の重要度値を求め、さらに、文中に含まれる表現の重要度値のうち最も大きい値を文の重要度値として当該文に付与する重要度付与手段、
として機能させるためのプログラムを記録したコンピュータ読み取り可能な記録媒体。
【請求項８】
前記コンピュータを、
接続情報、表層表記、標準表記、及び品詞の組毎に重要度調整値が記述されている重要度調整テーブルを参照することにより、前記複数の文におけるそれぞれの文について、文中に前記重要度調整テーブルに記述された表現が含まれる場合に当該表現に対応する重要度調整値を求め、前記重要度付与部で求めた文の重要度値に前記重要度調整値を加算したものを当該文の重要度値として当該文に付与する重要度調整手段
として更に機能させることを特徴とする請求項７に記載のプログラムを記録したコンピュータ読み取り可能な記録媒体。
【請求項９】
前記コンピュータを、
前記文書中の各文に付与された重要度値を参照し、重要度値が大きいものから順に予め定められた数の文を、前記文書の要約文として、前記文書から抽出する手段として更に機能させることを特徴とする請求項７に記載のプログラムを記録したコンピュータ読み取り可能な記録媒体。
【発明の詳細な説明】
【０００１】
【発明の属する技術分野】
本発明は、文書の要約等を目的として文書中の各文に重要度を付与する文書重要文ランキング方法、文書重要文ランキング装置、及び文書重要文ランキングプログラムを記録した記録媒体に関する。
【０００２】
【従来の技術】
大量の情報、特にＷＷＷや電子メールといった電子的な情報を効率良く概観し、必要な情報だけを取得するためには、文書の要約技術が必要不可欠であり、一般的には文書中から重要文を抽出する重要文抽出技術が用いられる。また、要約文書の分量は制限される場合が多いため、その制限に応じた要約が可能となるように、抽出する重要文はその重要度に応じてランキングされていることが望ましい。
【０００３】
重要文抽出技術には、
・文書中の単語頻度を利用する手法
・文書中の位置情報を利用する手法
・文間の関係を解析して文書構造を利用する手法
・文書中の手がかり表現を利用する手法
などがあり、それぞれ各文に対して重要度を付与することができ、付与された重要度を利用して、分量制限に応じた文書要約を行うことができることが望ましい。
【０００４】
【発明が解決しようとする課題】
しかしながら、上記の各手法は、新聞記事、学術論文のようにある程度の長さがあり、また定型的な構造を持った文書を対象とした場合には有効であるが、電子メールのように短くかつ定型的な構造を持たない文書に対してはあまり効果がない。
【０００５】
上記の「文書中の手がかり表現を利用する手法」で、短くかつ定型的な構造を持たない電子メールのような文書に対して有効な手法として、「文書重要文抽出方法、文書重要文抽出装置及び文書重要文抽出プログラムを記録した記録媒体」（掘井他、特願平１０−７０６８８）が提案されているが、この手法は重要文の抽出を行う場合は効果的であるが、各文に重要度を付与することは出来ない。
【０００６】
本発明は上記の点に鑑みてなされたもので、表現の重要度を記述したテーブルを用意し、各文中に含まれている表現の重要度から各文の重要度を決定することにより、電子メールのような短くかつ定型的な構造を持たない文書に対しても各文の重要度を付与できる文書重要文ランキング方法、文書重要文ランキング装置、及び文書重要文ランキングプログラムを記録した記録媒体を提供することを目的とする。
【０００７】
【発明を解決するための手段】
上記目的を達成するために、本発明は次のように構成される。本発明は、文書中の各文に重要度を付与する文書重要文ランキング方法であって、入力された文書を解析し、該解析された文書を文単位に分割し、表現の重要度を記述した第１のテーブルを参照して、該文単位に分割された各文中に含まれている表現の重要度から各文に重要度を付与する。
【０００８】
上記構成は、前記解析が、前記文書の各単語毎に表層表記、標準表記、及び品詞の属性を付与することである。
上記構成はまた、前記第１のテーブルには、接続情報、表層表記、標準表記、及び品詞の組毎に重要度が記述されている。
また上記発明は、重要度を調整する表現を記述した第２のテーブルを参照して、前記各文の重要度を調整することを含む。
【０００９】
更に上記発明は、前記各文に付与された重要度を参照して、前記文書を要約することを含む。
上記目的を達成するために、本発明は次のようにも構成される。本発明は、文書中の各文に重要度を付与する文書重要文ランキング装置であって、文書を入力する手段と、入力された文書を解析する手段と、該解析された文書を文単位に分割する手段と、表現の重要度を記述した第１のテーブルを参照して該文単位に分割された各文中に含まれている表現の重要度から各文に重要度を付与する手段とを有する。
【００１０】
上記構成において、前記解析する手段は、前記文書の各単語毎に表層表記、標準表記、及び品詞の属性を付与する手段を有する。
また上記構成において、前記第１のテーブルには、接続情報、表層表記、標準表記、及び品詞の組毎に重要度が記述されている。
上記発明はまた、重要度を調整する表現を記述した第２のテーブルを参照して、前記各文の重要度を調整する手段を含む。
【００１１】
更に、上記発明は前記各文に付与された重要度を参照して、前記文書を要約する手段を含む。
上記目的を達成するために、本発明はまた次のように構成される。本発明は、文書中の各文に重要度を付与する文書重要文ランキングプログラムを記録したコンピュータ読み取り可能な記録媒体であって、該プログラムにより、入力された文書を解析し、該解析された文書を文単位に分割し、表現の重要度を記述した第１のテーブルを参照して、該文単位に分割された各文中に含まれている表現の重要度から各文に重要度を付与する。
【００１２】
上記構成において、本発明の記録媒体は、前記プログラムにより、前記文書の各単語毎に表層表記、標準表記、及び品詞の属性を付与する。
本発明の記録媒体はまた、上記構成において、前記第１のテーブルには、接続情報、表層表記、標準表記、及び品詞の組毎に重要度が記述されている。
本発明の記録媒体はまた、前記プログラムにより、重要度を調整する表現を記述した第２のテーブルを参照して、前記各文の重要度を調整することを含む。
【００１３】
本発明は更に、前記プログラムにより、前記各文に付与された重要度を参照して、前記文書を要約することを含む。
上述のとおり本発明によれば、表現の重要度を記述したテーブルを用意し、各文中に含まれている表現の重要度から各文の重要度を決定することとしたため、電子メールのような短くかつ定型的な構造を持たない文書に対しても各文の重要度を付与することができる。
【００１４】
【発明の実施の形態】
まず、本発明の文書重要文ランキング方法の概要を図１のフローチャートを用いて説明する。図１に示すように、文書を入力し（ステップ１）、入力された文書を形態素解析し（ステップ２）、形態素解析された文書を文単位に分割し（ステップ３）、表現の重要度を記述した重要度付与テーブルを参照して、文単位に分割された各文中に含まれている表現の重要度から各文に重要度を付与し（ステップ４）、重要度を調整する表現を記述した重要度調整テーブルを参照して、各文の重要度を調整する（ステップ５）。ここで、ステップ５の各文の重要度を調整する処理は、場合によっては省略し、ステップ４で付与した各文の重要度を最終的な重要度としてもよい。
【００１５】
図２は、本発明の文書重要文ランキング装置の一実施例の概略ブロック図である。本文書重要文ランキング装置は、文書入力部１０、形態素解析部２０、単文分割部３０、重要度付与部４０、重要度調整部５０、重要度付与テーブル６０、及び重要度調整テーブル７０で構成される。文書入力部１０は、重要文ランキングの対象となる文書の入力を行い、入力された文書を形態素解析部２０に送出する。形態素解析部２０は、文書入力部１０より受け取った文書を形態素解析し、形態素解析された文書を単文分割部３０に送出する。単文分割部３０は、形態素解析部２０より受け取った文書を文単位に分割し、文単位に分割された文書を重要度付与部４０に送出する。
【００１６】
重要度付与部４０は、重要度付与テーブル６０を参照することにより、単文分割部３０より受け取った文書の各文中に含まれている表現の重要度から各文に重要度を付与する。重要度付与テーブル６０には、重要度を規定する表現の形態素情報と重要度が記述されている。重要度は数値が高いほど重要であることを表す。重要度付与テーブル６０に記述されている表現を含んだ文には、含んでいる表現のうちもっとも高い値の重要度が付与される。重要度付与テーブル６０に記述されている表現を含んでいない文には、デフォルトで設定された重要度が付与される。各文に重要度が付与された文書は重要度調整部５０に送出される。
【００１７】
重要度調整部５０は、重要度調整テーブル７０を参照することにより、重要度付与部４０より受け取った文書の各文に付与された重要度を調整する。重要度調整テーブル７０には、重要度を調整する表現の形態素情報と重要度調整値が記述されている。重要度調整テーブル７０に記述された表現を含んだ文に付与されている重要度は、含んでいる表現の重要度調整値により調整される。
【００１８】
上記の構成は、例えば図３に示すコンピュータシステムで実現される。同図に示すように、本コンピュータシステムは、ＣＰＵ１００、メモリ１１０、外部記憶装置１２０、ディスプレイ１３０、キーボード１４０、通信処理装置１５０を備え、メモリ１１０又は外部記憶装置１２０に記録されたプログラム及びデータがＣＰＵ１００で処理されて動作する。また、キーボード１４０及びディスプレイ１３０で入出力を行い、通信処理装置１５０により外部と通信する。
【００１９】
上述した文書入力部１０、形態素解析部２０、単文分割部３０、重要度付与部４０、重要度調整部５０、重要度付与テーブル６０、及び重要度調整テーブル７０等をプログラム及びデータで構成することにより、ＣＰＵ１００において上述した処理が実行される。
次に、具体例を用いて、本発明による、文書中の各文に重要度を付与する手法を説明する。
文書入力部１０で、以下の電子メール文書が入力された場合を考える。
【００２０】
＜入力＞
「横須賀情報通信  高木様
ＮＴＴ商事の竹石です。いつもお世話になっております。
システム緊急会議についてのお願いです。
貴社に納入して頂いた在庫管理システムが今朝ダウンし、現在非常モードで稼働中です。主な状況は以下の通りです。
【００２１】
・端末からアクセスしても初期画面が表示されません。
・バックアップデータがリストアできません。
年末時期で業務に支障があり、早急に対応策を検討しなければなりません。
至急電話を頂けないでしょうか？本日１５時から１７時にＮＴＴ商事本社会議室で緊急対策会議を行いますので、ご出席をお願いしたいと思います。
【００２２】
申し訳ありませんが、よろしくお願いします。」
形態素解析部２０では、上記入力文書を形態素解析する。たとえば、上記入力文書のうち、
ＮＴＴ商事の竹石です。
を形態素解析した結果は以下のようになる。（上段が原文「表層表記」及び分割点、中段が各単語の標準表記、下段が各単語の品詞を表す。）
ＮＴＴ            ／商事      ／の    ／竹石          ／です  ／。／
ＮＴＴ              商事        の      竹石            だ      。
【００２３】
固有名詞（企業名）  普通名詞  接続助詞  固有名詞（姓）  判定詞  句点
文書入力部１０で入力された文書は全て形態素解析部２０により上記と同様に形態素解析される。
単文分割部３０では、形態素解析された文書を文単位に分割する。上記形態素解析された文書は、以下のように文単位に分割される。（説明の都合上、分割された文の順番に文番号を付与している。また形態素情報は省略している。）
１  横須賀情報通信  高木様
２  ＮＴＴ商事の竹石です。
【００２４】
３  いつもお世話になっております。
４  システム緊急会議についてのお願いです。
５  貴社に納入して頂いた在庫管理システムが今朝ダウンし、現在非常モードで稼働中です。
６  主な状況は以下の通りです。
【００２５】
７  ・端末からアクセスしても初期画面が表示されません。
８  ・バックアップデータがリストアできません。
９  年末時期で業務に支障があり、早急に対応策を検討しなければなりません。
１０  至急電話を頂けないでしょうか？
１１  本日１５時から１７時にＮＴＴ商事本社会議室で緊急対策会議を行いますので、ご出席をお願いしたいと思います。
【００２６】
１２  申し訳ありませんが、よろしくお願いします。
重要度付与部４０では、単文分割部３０で分割された各文に対し、重要度付与テーブル６０に記述されている表現が含まれているかどうかを調べ、含まれている場合にはそれらの表現の重要度のうちもっとも高い値を、含まれていない場合にはデフォルトで設定された値を、各文の重要度として付与する。
【００２７】
重要度付与テーブル６０の例を図４に示す。図４の重要度付与テーブルは、重要度を規定する表現の形態素情報と重要度から構成される。形態素情報は、１組以上の接続情報、表層表記、標準表記、品詞の４つの組から構成される。接続情報は、次の形態素の位置を規定する。“ｎｅｘｔ”は次の形態素が直後にあることを表し、“ｆａｒ”は次の形態素が離れていても良いことを表す。また、“ｅｎｄ”は文末であることを表し、“−”は次に形態素情報がないことを表す。表層表記、標準表記、品詞における“＊”は全てにマッチすることを表す。重要度は数値が高いほど重要であることを表す。
【００２８】
たとえば、
１  横須賀情報通信  高木様
では、「様（文末）」の部分が重要度付与テーブルのテーブルＩＤ１００の表現にマッチする。それ以外の部分は重要度付与テーブルとマッチしないので、テーブルＩＤ１００の重要度“１”が文番号１の文の重要度となる。（重要度の値は文の最後に［］で囲って表すものとする。）
１  横須賀情報通信  高木様［１］
同様に、
２  ＮＴＴ商事の竹石です。
【００２９】
３  いつもお世話になっております。
は、それぞれ「竹石です」の部分がテーブルＩＤ１０１（重要度“２”）にマッチ、「世話になっ」の部分がテーブルＩＤ１０２（重要度“１”）にマッチし、共に１部分しかマッチしないので、それぞれのテーブルＩＤの重要度が文の重要度となり、
２  ＮＴＴ商事の竹石です。［２］
３  いつもお世話になっております。［１］
である。
【００３０】
４  システム緊急会議についてのお願いです。
は、「について」がテーブルＩＤ１０３（重要度“５”）にマッチ、「お願いです」がテーブルＩＤ１０６（重要度“４”）にマッチする。複数の表現とマッチした場合は、もっとも高い値の重要度を付与するので、この場合はテーブルＩＤ１０３の重要度“５”が付与される。
【００３１】
４  システム緊急会議についてのお願いです。［５］
文番号５、６、７、８、９はいずれも重要度付与テーブルにマッチする表現がないので、デフォルトで設定された値を付与する。デフォルト値を“３”として、
５  貴社に納入して頂いた在庫管理システムが今朝ダウンし、現在非常モードで稼働中です。［３〕
６  主な状況は以下の通りです。［３］
７  ・端末からアクセスしても初期画面が表示されません。［３］
８  ・バックアップデータがリストアできません。［３〕
９  年末時期で業務に支障があり、早急に対応策を検討しなければなりません。［３］
である。
【００３２】
１０  至急電話を頂けないでしょうか？
１１  本日１５時から１７時にＮＴＴ商事本社会議室で緊急対策会議を行いますので、ご出席をお願いしたいと思います。
１２  申し訳ありませんが、よろしくお願いします。
は、それぞれ「か？」の部分がテーブルＩＤ１０４（重要度“４”）にマッチ、「お願いし」の部分がテーブルＩＤ１０５（重要度“４”）にマッチ、「が、よろしくお願いし」の部分がテーブルＩＤ１０７（重要度“１”）とマッチし、いずれも１部分しかマッチしないので、それぞれのテーブルＩＤの重要度が文の重要度となる。（文番号１２は、「、」と「お願い」の間に「よろしく」が入っているが、テーブルＩＤ１０３の「、」の接続情報が“ｆａｒ”になっているので、「お願い」が離れていても構わない。）
１０  至急電話を頂けないでしょうか？［４］
１１  本日１５時から１７時にＮＴＴ商事本社会議室で緊急対策会議を行いますので、ご出席をお願いしたいと思います。［４］
１２  申し訳ありませんが、よろしくお願いします。［１］
したがって、各文に重要度が付与された以下の文書が重要度調整部５０へ送出される。
【００３３】
１  横須賀情報通信  高木様［１］
２  ＮＴＴ商事の竹石です。［２］
３  いつもお世話になっております。［１］
４  システム緊急会議についてのお願いです。［５〕
５  貴社に納入して頂いた在庫管理システムが今朝ダウンし、現在非常モードで稼働中です。［３］
６  主な状況は以下の通りです。［３］
７  ・端末からアクセスしても初期画面が表示されません。［３］
８  ・バックアップデータがリストアできません。［３］
９  年末時期で業務に支障があり、早急に対応策を検討しなければなりません。［３］
１０  至急電話を頂けないでしょうか？［４］
１１  本日１５時から１７時にＮＴＴ商事本社会議室で緊急対策会議を行いますので、ご出席をお願いしたいと思います。［４］
１２  申し訳ありませんが、よろしくお願いします。［１］
重要度調整部５０では、重要度付与部４０から受け取った文書の各文に対し、重要度調整テーブル７０に記述されている表現が含まれているかどうかを調べ、含まれている場合、該当する文の重要度は、含んでいる表現の重要度調整値に従い重要度の値を調整する。
【００３４】
重要度調整テーブル７０の例を図５に示す。図５の重要度調整テーブルは、重要度を調整する表現の形態素情報と重要度調整値から構成される。形態素情報の形式は図４の重要度付与テーブルと同様である。重要度調整値は重要度の増減度合であり、形態素情報にマッチする表現が見つかった場合に、該当する文の重要度を重要度調整値に従い調整する。
【００３５】
本実施例における例では、
９  年末時期で業務に支障があり、早急に対応策を検討しなければなりません。［３］
１０  至急電話を頂けないでしょうか？［４］
の２文が図５の重要度調整テーブルの表現を含んでいる。文番号９は「早急に」がテーブルＩＤ２００（重要度調整値“＋０．５”）とマッチ、文番号１０は「至急」がテーブルＩＤ２０１（重要度調整値“＋２”）とマッチするので、それぞれの文の重要度を重要度調整値に従って調整すると、
９  年末時期で業務に支障があり、早急に対応策を検討しなければなりません。［３．５］
１０  至急電話を頂けないでしょうか？［６］
となる。
【００３６】
したがって、重要度調整部５０では、各文の重要度が付与、調整された以下の文書が出力となる。
１  横須賀情報通信  高木様［１］
２  ＮＴＴ商事の竹石です。［２］
３  いつもお世話になっております。［１］
４  システム緊急会議についてのお願いです。［５］
５  貴社に納入して頂いた在庫管理システムが今朝ダウンし、現在非常モードで稼働中です。［３］
６  主な状況は以下の通りです。［３］
７  ・端末からアクセスしても初期画面が表示されません。［３］
８  ・バックアップデータがリストアできません。［３］
９  年末時期で業務に支障があり、早急に対応策を検討しなければなりません。［３．５］
１０  至急電話を頂けないでしょうか？［６］
１１  本日１５時から１７時にＮＴＴ商事本社会議室で緊急対策会議を行いますので、ご出席をお願いしたいと思います。［４］
１２  申し訳ありませんが、よろしくお願いします。［１］
上記実施例で、各文に重要度が付与されたことにより、要約文書の分量に応じた重要文抽出が可能となる。１文だけ抽出するならば、重要度が最大値“６”である文番号１０を抽出して、
＜要約文書＞
至急電話を頂けないでしょうか？
となる。２文抽出ならば、重要度“５”の文番号４も抽出され、
＜要約文書＞
システム緊急会議についてのお願いです。
【００３７】
至急電話を頂けないでしょうか？
となり、３文抽出ならば、重要度“４”の文番号１１も抽出され、
＜要約文書＞
システム緊急会議についてのお願いです。
至急電話を頂けないでしょうか？
本日１５時から１７時にＮＴＴ商事本社会議室で緊急対策会議を行いますので、ご出席をお願いしたいと思います。
という具合である。文字数による分量の制約がある場合も、制限文字数に入るだけ重要度の高い順に文を抽出してくればよい。
【００３８】
上記実施例では、重要度付与部４０で各文に重要度を付与したあと、重要度調整部５０で各文の重要度の調整を行なったが、重要度調整部５０は省略して重要度付与部４０で付与した各文の重要度を最終的な値としてもよい。その場合、重要度が最大である文は、文番号４（重要度“５”）になるので、１文抽出の場合、
＜要約文書＞
システム緊急会議についてのお願いです。
【００３９】
となる。仮に文番号１０に「至急」という表現が無かった場合には重要度調整部５０で重要度調整を行なっても同じ結果になる。
２文抽出の場合には、重要度“４”の文が文番号１０、１１と２文あるため、何らかの手段によりどちらかを選択することになる。（「先に書かれている文」「文字数が短い文」等の手段。）
以上、図２の本発明の文書重要文ランキング装置の実施例について説明した。
【００４０】
次に本発明の記録媒体について説明する。
本発明における文書重要文ランキングプログラムを記録した記録媒体は図３に示す構成と同様な構成のコンピュータシステムにおけるメモリ１１０又は外部記憶装置１２０のいずれか又は両方に相当する。また、光磁気ディスク、磁気ディスク、磁気テープ等の可搬媒体、又は電子メモリ、ハードディスク等も本発明の記録媒体に相当し、これらの記録媒体に格納された本発明の文書重要文ランキングプログラムを図３に示すようなコンピュータシステムにローディングすることにより一般のコンピュータシステムにおいて本発明における文書重要文ランキング方法の実施が可能となる。また、本発明のプログラムのローディングは通信処理装置１５０を介してネットワークからも行われ得る。
【００４１】
なお、本発明は上記の実施例に限定されておらず、特許請求の範囲内で種々変更・応用が可能である。
【００４２】
【発明の効果】
上述のように本発明によれば、文の重要度を決定する表現を記述したテーブルを用意するだけで、文書中の各文に対し重要度を付与することができるため、文数、文字数の制約に応じた文書要約が可能になる。本発明は、定型的な構造を持った文書のみならず、特に、短くかつ定型的な構造を持たない電子メール文書等の要約に効果が大きい。
【図面の簡単な説明】
【図１】本発明の文書重要文ランキング方法の処理フローを示すフローチャートである。
【図２】本発明の文書重要文ランキング装置の一実施例の概略ブロック図である。
【図３】本発明の文書重要文ランキング装置の一実施例のハードブロック図である。
【図４】本発明に用いる重要度付与テーブルの内容例を示す図である。
【図５】本発明に用いる重要度調整テーブルの内容例を示す図である。
【符号の説明】
１０  文書入力部
２０  形態素解析部
３０  単文分割部
４０  重要度付与部
５０  重要度調整部
６０  重要度付与テーブル
７０  重要度調整テーブル
１００  ＣＰＵ
１１０  メモリ
１２０  外部記憶装置
１３０  ディスプレイ
１４０  キーボード
１５０  通信処理装置
【図１】
0003612597.tif 000002
【図２】
0003612597.tif 000003
【図３】
0003612597.tif 000004
【図４】
0003612597.tif 000005
【図５】
0003612597.tif 000006